(57)【特許請求の範囲】
【請求項１】
吊りボルトに懸吊する懸吊物を吊りボルトに固定する吊りボルト用吊り金具において、懸吊物を両側から挟み付ける一対の挟着板と、各挟着板の上端部からそれぞれ延長され、吊りボルトに平行に設けられた垂直部の上端から吊りボルトに直交して互いに重なる水平部が屈曲延長された固定体とで構成され、一方の固定体の垂直部にナット付きの吊りボルトを側面から導入せしめる導入口を形成すると共に、該固定体の水平部に吊りボルトの側面をスライド挿入する切欠口を連続形成し、他方の固定体の水平部に前記切欠口に重合する重合切欠口を形成し、各固定体の垂直部相互を連結する連結ボルトを設け、該連結ボルトに前記導入口の一部又は全体を封止する封止具を装着したことを特徴とする吊りボルト用吊り金具。
【請求項２】
前記挟着板は、前記懸吊物の下端部に係止する係止片と、該係止片から上向きに突出する係止突起とを備え、前記固定体の前記水平部が互いに重合したときに係合する係合突起を前記水平部の一方又は両方に設け、各係止突起が前記懸吊物の下端部に係止し、重合した前記水平部に係合突起が係合すると前記挟着板が前記懸吊物の両側面を挟着するように構成した請求項１記載の吊りボルト用吊り金具。
【請求項３】
前記封止具は帯板状を成し、前記連結ボルトの側面に嵌合せしめる切欠を一端部に形成し、前記導入口に係止せしめる係止部を他端部に形成した請求項１記載の吊りボルト用吊り金具。
【発明の詳細な説明】
【技術分野】
【０００１】
本発明は、照明器具用のカバーや空調配管用のカバー等を吊りボルトに吊り下げる際に使用する吊りボルト用吊り金具に係り、特に、耐震強度に優れ、連結作業が容易な吊りボルト用吊り金具に関するものである。
【背景技術】
【０００２】
従来、吊りボルトで照明器具を吊下げる場合、照明器具の取付け作業を容易にするために、ナット付きの吊りボルトを側面から挿入する側面逆Ｔ字形状の案内孔を形成した照明器具が特許文献１に提案されている。
【０００３】
一方、吊り金具を二分割し、それぞれの金具を吊りボルトに挿通してナットで固定する空調配管用カバーの取付具が特許文献２に記載されている。この取付具によると、二分割した吊り金具の上端部を重ね合せ、この重合部を貫通する貫通孔に吊りボルトを挿通し、ナットで固定するものである。
【先行技術文献】
【特許文献】
【０００４】
【特許文献１】特開２０１０‐１３５２３３号公報
【特許文献２】実公平２‐１８４１１号公報
【発明の概要】
【発明が解決しようとする課題】
【０００５】
特許文献１の照明器具では、照明器具にナット付きの吊りボルトを側面から挿入して吊下げることができるので、装着作業は極めて簡単に行えるが、地震等の揺れが生じた場合、照明器具が吊りボルトから簡単に外れてしまう虞があった。
【０００６】
一方、特許文献２に記載の取付具によると、二分割された上下一対の吊り金具に開穿されたボルト挿通孔に吊りボルトを挿通させた後に、ナットで固定するものであるから、地震等の揺れに対する強度が高い構成になっている。ところが、上下一対の吊り金具を重ねた状態に保ち、ボルト挿通孔に吊りボルトを挿通させ、ナットで固定するといった吊下げ作業に極めて多くの手間を要し、しかも、吊下げ作業が高所で行われるために危険な作業にもなっている。
【０００７】
そこで本発明は上述の課題を解消すべく創出されたもので、照明器具のカバーや空調配管用カバー等を吊りボルトに簡単に吊下げることが可能で、しかも、耐震強度に優れ、懸吊物を強固に支持することができる吊りボルト用吊り金具の提供を目的とするものである。
【課題を解決するための手段】
【０００８】
上述の目的を達成すべく本発明における第１の手段は、吊りボルトＰに懸吊する懸吊物Ｑを吊りボルトＰに固定する吊りボルト用吊り金具において、
懸吊物Ｑを両側から挟み付ける一対の挟着板１０と、
各挟着板１０の上端部からそれぞれ延長され、吊りボルトＰに平行に設けられた垂直部２１の上端から吊りボルトＰに直交して互いに重なる水平部２２が屈曲延長された固定体２０とで構成され、
一方の固定体２０の垂直部２１にナットＰ１付きの吊りボルトＰを側面から導入せしめる導入口２３を形成すると共に、該固定体２０の水平部２２に吊りボルトＰの側面をスライド挿入する切欠口２４を連続形成し、
他方の固定体２０の水平部２２に前記切欠口２４に重合する重合切欠口２５を形成し、各固定体２０の垂直部２１相互を連結する連結ボルト２６を設け、該連結ボルト２６に前記導入口２３の一部又は全体を封止する封止具２７を装着したことを特徴とする吊りボルト用吊り金具。
【０００９】
第２の手段において、前記挟着板１０は、前記懸吊物Ｑの下端部に係止する係止片１１と、該係止片１１から上向きに突出する係止突起１２とを備え、前記固定体２０の前記水平部２２が互いに重合したときに係合する係合突起２２Ａを前記水平部２２の一方又は両方に設け、各係止突起１２が前記懸吊物Ｑの下端部に係止し、重合した前記水平部２２に係合突起２２Ａが係合すると前記挟着板１０が前記懸吊物Ｑの両側面を挟着するように構成している。
【００１０】
第３の手段は、前記封止具２７は帯板状を成し、前記連結ボルト２６の側面に嵌合せしめる切欠２７Ａを一端部に形成し、前記導入口２３に係止せしめる係止部２７Ｂを他端部に形成したものである。
【発明の効果】
【００１１】
本発明の請求項１のごとく、一方の固定体２０の垂直部２１にナットＰ１付きの吊りボルトＰを側面から導入せしめる導入口２３を形成すると共に、該固定体２０の水平部２２に吊りボルトＰの側面をスライド挿入する切欠口２４を連続形成し、他方の固定体２０の水平部２２に前記切欠口２４に重合する重合切欠口２５を形成したことで、ナットＰ１付きの吊りボルトＰを側面から導入できるので、照明器具のカバーや空調配管用カバー等を吊りボルトに簡単に吊下げることができる。
【００１２】
しかも、各固定体２０の垂直部２１相互を連結する連結ボルト２６を設け、該連結ボルト２６に前記導入口２３の一部又は全体を封止する封止具２７を装着したことにより、耐震強度に優れ、懸吊物を強固に支持するものである。
【００１３】
請求項２により、各係止突起１２が前記懸吊物Ｑの下端部に係止し、重合した前記水平部２２に係合突起２２Ａが係合すると前記挟着板１０が前記懸吊物Ｑの両側面を挟着するように構成したことで、本発明吊り金具を懸吊物Ｑに仮止めすることが可能になる。この結果、装着作業がより簡単になり、高所での作業を安全にすることができる。
【００１４】
請求項３のごとく、封止具２７に設けた切欠２７Ａにより、連結ボルト２６をネジ止した後から連結ボルト２６に封止具２７を装着することができる。この結果、懸吊物Ｑを吊りボルトＰに固定した後に封止具２７を使用できるので、合理的且つ安全な使用ができるものである。
【図面の簡単な説明】
【００１５】
【図１】本発明吊り金具の使用状態を示す分解斜視図である。
【図２】本発明吊り金具に吊りボルトを導入した状態を示す側面図である。
【図３】本発明吊り金具の封止具の使用状態を示す側面図である。
【図４】本発明吊り金具の使用状態を示す平面図である。
【図５】本発明吊り金具に振れ止め金具を連結した正面図である。
【発明を実施するための形態】
【００１６】
本発明によると、照明器具のカバーや空調配管用カバー等を吊りボルトに簡単に吊下げることが可能で、しかも、耐震強度に優れ、懸吊物を強固に支持することができるなどといった当初の目的を達成した。
【００１７】
本発明吊り金具は、懸吊物Ｑを吊りボルトＰに固定する吊り金具であり、主な構成は、一対の挟着板１０と、各挟着板１０の上端部からそれぞれ延長された固定体２０とで構成されている（図１参照）。
【００１８】
挟着板１０は、懸吊物Ｑを両側から挟み付ける帯板状の部材で、懸吊物Ｑの側面に沿って挟着する形状に設けている（図５参照）。図示例では、ＬＥＤランプや蛍光灯などの直管形ランプ用のライティングケースを懸吊物Ｑとする場合を示している。この場合、樋状を成したライティングケースの側面形状に合わせて挟着板１０を屈曲したものである。
【００１９】
この挟着板１０の下端部に係止片１１を設け、懸吊物Ｑの下端部を係止している。更に、係止片１１から上向きに突出する係止突起１２を設け、この係止突起１２で挟着板１０を懸吊物Ｑに仮止めできるように構成している（図５参照）。図示例のライティングケースでは、開口した下端部に、内側にむけて突出する水平リブＱ１が形成されている。そして、係止片１１をこの水平リブＱ１に重合し、係止突起１２を水平リブＱ１の端部に係止させている。
【００２０】
固定体２０は、垂直部２１から水平部２２が屈曲延長されたものである（図１参照）。垂直部２１は、固定体２０の上端部から吊りボルトＰに平行に設けられている。更に垂直部２１の上端から水平部２２が屈曲延長され、この水平部２２が吊りボルトＰに直交して互いに重なるように構成している。
【００２１】
このように、固定体２０の水平部２２が重合したときに、この水平部２２に係合する係合突起２２Ａを水平部２２の一方又は両方に設ける（図４参照）。図示例では、重合切欠口２５の開口端部から上方に突出する一対の係合突起２２Ａを形成し、この係合突起２２Ａが切欠口２４の内側に形成した係合口２２Ｂに係合するものである。そして、前述の挟着板１０における各係止突起１２が懸吊物Ｑの下端部に係止し、重合した水平部２２に係合突起２２Ａが係合すると前記挟着板１０が前記懸吊物Ｑの両側面を仮止め挟着するように構成している（図５参照）。
【００２２】
また、一方の固定体２０の垂直部２１に導入口２３を形成する。この導入口２３は、ナットＰ１付きの吊りボルトＰを側面から導入せしめる開口形状になっている（図２参照）。図示例では、十字形状の導入口２３を示しているが、逆Ｔ字状の導入口２３でも良い。更に、同じ固定体２０の水平部２２に吊りボルトＰの側面をスライド挿入する切欠口２４を連続形成する（図１参照）。導入口２３と切欠口２４を形成した固定体２０は、ナットＰ１付きの吊りボルトＰを側面から導入し、水平部２２にナットＰ１で固定できる構成になっている。
【００２３】
他方の固定体２０の水平部２２に前記切欠口２４に重合する重合切欠口２５を形成する（図１参照）。この重合切欠口２５は、水平部２２相互を重ねたときに、切欠口２４と重合切欠口２５が同じ開口形状になるように構成している。したがって、一対の水平部２２を重ねた状態で、ナットＰ１付きの吊りボルトＰを側面から導入できるものである（図２参照）。
【００２４】
更に、各固定体２０の垂直部２１相互を連結する連結ボルト２６を設けている（図１参照）。この連結ボルト２６は、対向する一対の垂直部２１を連結することで、重合した水平部２２を固定し、一対の固定体２０を一体化するものである（図５参照）。図示の連結ボルト２６は、一方の垂直部２１に開穿した挿通孔２８から他方の垂直部２１に設けたタッピングネジ２９にネジ止めして固定体２０を緊締する。このとき、連結ボルト２６に封止具２７を装着する。
【００２５】
この封止具２７は導入口２３の一部又は全体を封止するもので、図示例では帯板状を成している（図３参照）。更に封止具２７の一端部に切欠２７Ａを形成している。この切欠２７Ａは、連結ボルト２６の側面に外嵌せしめるものである。すなわち、垂直部２１を貫通した連結ボルト２６の頭部と垂直部２１との間に封止具２７を差し込み、切欠２７Ａ内に連結ボルト２６の軸部を嵌入し、連結ボルト２６を締付けたときに封止具２７を固定するものである（図５参照）。
【００２６】
更に、封止具２７の他端部には、導入口２３に係止せしめる係止部２７Ｂを形成している（図３参照）。図示の係止部２７Ｂは、十字形状を成した導入口２３の左右の広くなった部分に嵌入せしめる突起状を成している。そして、連結ボルト２６を締め付けると封止具２７が導入口２３全体を封止するように構成している。
【００２７】
次に、図５に基づいて本発明の使用方法を説明する。まず、懸吊物Ｑの両側面に挟着板１０を装着し、挟着板１０の係止突起１２を懸吊物Ｑ下端に係止し、固定体２０の係合突起２２Ａを水平部２２に係合する。このようにして、挟着板１０と固定体２０とを懸吊物Ｑに仮止めする。次に、ナットＰ１付の吊りボルトＰを導入口２３から切欠口２４まで導入し、ナットＰ１で水平部２２に固定する。更に、連結ボルト２６で垂直部２１相互を連結すると共に、この連結ボルト２６に封止具２７を装着する。連結ボルト２６を緊締すると、固定体２０と挟着板１０が一体化して吊りボルトＰに懸吊物Ｑを固定すると共に、導入口２３が封止具２７で封止される。図示例では、吊りボルトＰに振れ止め金具Ｒを装着した状態を示している。
【００２８】
本発明吊り金具は、照明器具用のカバーや空調配管用のカバー等を懸吊物Ｑとして説明しているが、本発明にて懸吊する懸吊物Ｑはこの例に限られるものではない。また、本発明の各構成は、図示例に限定されるものではなく、本発明の要旨を変更しない範囲での設計変更は自由である。
【符号の説明】
【００２９】
Ｐ  吊りボルト
Ｑ  懸吊物
Ｑ１  水平リブ
Ｒ  振れ止め金具
１０  挟着板
１１  係止片
１２  係止突起
２０  固定体
２１  垂直部
２２  水平部
２２Ａ  係合突起
２２Ｂ  係合口
２３  導入口
２４  切欠口
２５  重合切欠口
２６  連結ボルト
２７  封止具
２７Ａ  切欠
２７Ｂ  係止部
２８  挿通孔
２９  タッピングネジ
【要約】
【課題】照明器具等を吊りボルトに簡単に吊下げることが可能で、しかも、耐震強度に優れ、懸吊物を強固に支持することができる吊りボルト用吊り金具を提供する。
【解決手段】懸吊物Ｑを両側から挟み付ける一対の挟着板１０を設ける。各挟着板１０の上端部からそれぞれ延長された固定体２０を設ける。垂直部２１を吊りボルトＰに平行に設ける。垂直部２１の上端から水平部２２を屈曲延長する。一方の垂直部２１にナットＰ１付きの吊りボルトＰを側面から導入せしめる導入口２３を形成する。水平部２２に切欠口２４を連続形成する。他方の水平部２２に、切欠口２４に重合する重合切欠口２５を形成する。各固定体２０の垂直部２１相互を連結する連結ボルト２６を設ける。連結ボルト２６に導入口２３の一部又は全体を封止する封止具２７を装着する。
【選択図】  図１【図１】
0005426748.tif 000002
【図２】
0005426748.tif 000003
【図３】
0005426748.tif 000004
【図４】
0005426748.tif 000005
【図５】
0005426748.tif 000006